(57)【要約】【課題】既存の共同受信システムを利用しつつ左旋放送の視聴を実現させる技術を提供する。【解決手段】衛星放送受信システム（２０）は、共同受信システム（１０）を備えた集合住宅に設置される。共同受信システムは、右旋放送の受信信号を第１の周波数帯にダウンコンバートした右旋ＩＦ信号が上限として含まれる第１信号を、集合住宅の各住戸に設けられたテレビ端子（１６）に供給する。アンテナ部（２１）は、左旋放送を少なくとも受信し、左旋放送の受信信号を第１の周波数帯とは異なる第２の周波数帯にダウンコンバートした左旋ＩＦ信号が含まれる第２信号を出力する。混合器（２２）は、テレビ端子に供給される又はテレビ端子から供給される第１信号と、アンテナ部から出力される第２信号とを混合した混合信号を出力する。【選択図】図１
2020162037.tif 000002
【特許請求の範囲】
【請求項１】
右旋円偏波を用いる衛星放送である右旋放送の受信信号を第１の周波数帯にダウンコンバートした右旋ＩＦ信号が上限として含まれる第１信号を、集合住宅の各住戸に設けられたテレビ端子に供給する共同受信システムを備えた前記集合住宅に設置される衛星放送受信システムであって、
左旋円偏波を用いる衛星放送である左旋放送を少なくとも受信し、前記左旋放送の受信信号を前記第１の周波数帯とは異なる第２の周波数帯にダウンコンバートした左旋ＩＦ信号が含まれる第２信号を出力するアンテナ部と、
前記テレビ端子に供給される又は前記テレビ端子から供給される前記第１信号と、前記アンテナ部から出力される前記第２信号とを混合した混合信号を出力する混合器と、
を備える衛星放送受信システム。
【請求項２】
請求項１に記載の衛星放送受信システムであって、
前記混合器は、ダイプレクサを用いて構成された
衛星放送受信システム。
【請求項３】
請求項１に記載の衛星放送受信システムであって、
前記混合器は、前記第１信号及び前記第２信号が入力される入力端子間の信号伝送が阻止されるように、一つ以上のアイソレータを用いて構成された
衛星放送受信システム。
【請求項４】
請求項１から請求項３までのいずれか１項に記載の衛星放送受信システムであって、
前記アンテナ部は、前記左旋放送を受信し、前記左旋ＩＦ信号を出力する左旋専用アンテナを用いて構成された
衛星放送受信システム。
【請求項５】
請求項１から請求項３までのいずれか１項に記載の衛星放送受信システムであって、
前記アンテナ部は、前記右旋放送及び前記左旋放送のいずれも受信して前記右旋ＩＦ信号及び前記左旋ＩＦ信号を出力する右左旋共用アンテナを用いて構成され、
前記右左旋共用アンテナの出力信号から、前記右旋ＩＦ信号を除去した信号を前記第２信号として前記混合器に供給するフィルタを更に備える
衛星放送受信システム。
【請求項６】
右旋円偏波を用いる衛星放送である右旋放送の受信信号を第１の周波数帯にダウンコンバートした右旋ＩＦ信号を上限として含む第１信号が入力される第１入力端子と、
左旋円偏波を用いる衛星放送である左旋放送の受信信号を前記第１の周波数帯とは異なる第２の周波数帯にダウンコンバートした左旋ＩＦ信号を含む第２信号が入力される第２入力端子と、
前記第１入力端子から入力される前記第１信号と前記第２入力端子から入力される前記第２信号とを混合した混合信号が出力される出力端子と、
を備える混合器。
【請求項７】
請求項６に記載の混合器であって、
前記第２入力端子から入力される前記第２信号が、前記第１入力端子から出力されることを抑制する回込抑制回路を更に備える
混合器。
【請求項８】
請求項６又は請求項７に記載の混合器であって、
前記第２入力端子から入力される前記第２信号から、前記第１信号と重複する信号を除去する除去回路を更に備え、
前記除去回路からの出力信号と前記第１信号とを混合することで前記混合信号が生成される
混合器。
【発明の詳細な説明】
【技術分野】
【０００１】
本開示は、衛星放送を受信する技術に関する。
【背景技術】
【０００２】
特許文献１には、集合住宅において共通のアンテナにて、地上デジタル放送と、衛星放送とを受信し、各住戸へ受信信号を配信する共同受信システムが記載されている。
衛星放送では、従来から、右旋円偏波を使用するＢＳ右旋放送と１１０度ＣＳ右旋放送を用いて、フルハイビジョンの解像度である２Ｋの放送が行なわれている。更に、近年では、ＢＳ右旋放送を用いた４Ｋ、及び左旋円偏波を使用するＢＳ左旋放送と１１０度ＣＳ左旋とを用いた４Ｋ或いは８Ｋの実用放送も開始された。
【先行技術文献】
【特許文献】
【０００３】
【特許文献１】特開２００５−２２９２８６号公報
【発明の概要】
【発明が解決しようとする課題】
【０００４】
ところで、集合住宅に設置された既存の共同受信システムには、従来の右旋放送にだけ対応した右旋専用システムが多数存在する。右旋専用システムにおいて衛星放送を受信するために設けられているＢＳ・１１０度ＣＳ用アンテナは、右旋放送だけに対応した右旋専用アンテナである。つまり、既存の共同受信システムでは、ＢＳ右旋放送を用いる４Ｋの衛星放送は視聴できるが、左旋放送を用いた４Ｋ或いは８Ｋの衛星放送は視聴できない。このため、今後、右旋専用システムが設置された集合住宅等においても、左旋放送を用いた４Ｋ或いは８Ｋの衛星放送も視聴したいという要求が想定される。
【０００５】
しかしながら、既存の共同受信システムを、左旋放送にも対応できるように改修するには、莫大な費用を要するため、事実上、実現が困難であるという課題があった。
本開示は、既存の共同受信システムを利用しつつ左旋放送の視聴を実現させる技術を提供することを目的とする。
【課題を解決するための手段】
【０００６】
本開示の一態様は、衛星放送受信システム（２０，２０ａ）であって、共同受信システム（１０）を備えた集合住宅に設置される。共同受信システムは、右旋円偏波を用いる衛星放送である右旋放送の受信信号を第１の周波数帯にダウンコンバートした右旋ＩＦ信号が上限として含まれる第１信号を、集合住宅の各住戸に設けられたテレビ端子に供給する。
【０００７】
衛星放送受信システムは、アンテナ部（２１）と、混合器（２２，２２ａ〜２２ｅ）と、を備える。アンテナ部は、左旋円偏波を用いる衛星放送である左旋放送を少なくとも受信し、左旋放送の受信信号を第１の周波数帯とは異なる第２の周波数帯にダウンコンバートした左旋ＩＦ信号が含まれる第２信号を出力する。混合器は、テレビ端子に供給される又はテレビ端子から供給される第１信号と、アンテナ部から出力される第２信号とを混合した混合信号を出力する。
【０００８】
このような構成によれば、右旋放送の視聴が可能な共同受信システムを備えた集合住宅において、共同受信システムを改修することなく、アンテナ部と混合器とを追加して設置するだけで左旋放送の視聴を可能とすることができる。しかも、左旋放送の視聴を可能とするか否かを、集合住宅全体ではなく、住戸毎に選択できるため、容易に導入できる。
【０００９】
本開示の一態様では、混合器は、ダイプレクサ（２２１，２２２）を用いて構成されてもよい。
このような構成によれば、第１信号と第２信号とを混合する際に、ノイズが除去されるため、混合信号の品質を向上させることができる。また、第２信号が、第１信号を供給する共同受信システムに回り込むこと、ひいては、回り込んだ第２信号を原因とする共同受信システムでの障害の発生を抑制できる。
【００１０】
本開示の一態様では、混合器は、第１信号及び第２信号が入力される入力端子間の信号伝送が阻止されるように、一つ以上のアイソレータ（２２３，２２４）を用いて構成されてもよい。
【００１１】
このような構成によれば、第１信号を供給する共同受信システムに第２信号が回り込むこと、ひいては、回り込んだ第２信号を原因とする共同受信システムでの障害の発生を抑制できる。
【００１２】
本開示の一態様では、アンテナ部は、左旋放送を受信し、左旋ＩＦ信号を出力する左旋専用アンテナを用いて構成されてもよい。
このような構成によれば、アンテナ部から供給される第２信号に、第１信号と重複する右旋ＩＦ信号が含まれないため、混合器において、第２信号から右旋ＩＦ信号を除去するための構成が不要となり、装置構成を簡略化できる。
【００１３】
本開示の一態様では、アンテナ部は、右旋放送及び左旋放送のいずれも受信して右旋ＩＦ信号及び左旋ＩＦ信号を出力する右左旋共用アンテナを用いて構成される。この場合、右左旋共用アンテナの出力信号から、右旋ＩＦ信号を除去した信号を第２信号として混合器に供給するフィルタ（２３）を更に備えてもよい。
【００１４】
このような構成によれば、アンテナ部として右左旋共用アンテナを用いる場合でも、左旋専用アンテナを用いた場合と同様の効果を得ることができる。但し、混合器が、第２信号に含まれる、第１信号と重複する信号を十分に除去する機能を有する場合は、フィルタは省略されてもよい。
【００１５】
本開示の一態様は、混合器であって、第１入力端子（Ｔ１）と、第２入力端子（Ｔ２）と、出力端子（Ｔｏ）と、を備える。第１入力端子は、右旋円偏波を用いる衛星放送である右旋放送の受信信号を第１の周波数帯にダウンコンバートした右旋ＩＦ信号を上限として含む第１信号が入力される。第２入力端子は、左旋円偏波を用いる衛星放送である左旋放送の受信信号を第１の周波数帯とは異なる第２の周波数帯にダウンコンバートした左旋ＩＦ信号を含む第２信号が入力される。出力端子は、第１入力端子から入力される第１信号と第２入力端子から入力される第２信号とを混合した混合信号が出力される。
【００１６】
このように構成された混合器によれば、前述の衛星放送受信システムを構築する際に好適に用いることができる。
本開示の一態様では、混合器は、第２入力端子から入力される第２信号が、第１入力端子から出力されることを抑制する回込抑制回路（２２１，２２３）を更に備えてもよい。
【００１７】
本開示の一態様では、混合器は、第２入力端子から入力される第２信号から、第１信号と重複する信号を除去する除去回路（２２２）を更に備え、除去回路からの出力信号と第１信号とを混合することで混合信号が生成されてもよい。
【図面の簡単な説明】
【００１８】
【図１】テレビ放送受信システムの全体構成図である。
【図２】右左旋混合器の構成を示すブロック図である。
【図３】テレビ受像機の入力端子がＵＨＦ用とＢＳ用とで異なる場合の接続例を示す説明図である。
【図４】テレビ受像機の入力端子がＵＨＦ用とＢＳ用とで異なる場合の接続例を示す説明図である。
【図５】共同受信システムからの信号を住戸に引き込む地点と、住戸内の分配器との間に衛星放送受信システムを接続する場合の放送受信システムの構成図である。
【図６】衛星放送受信システムの他の構成例を示すブロック図である。
【図７】右左旋混合器の他の構成例を示すブロック図である。
【発明を実施するための形態】
【００１９】
以下に本開示の実施形態を図面と共に説明する。
［１．第１実施形態］
［１−１．構成］
図１に示すように、テレビ放送受信システム１は、共同受信システム１０と、衛星放送受信システム２０とを備える。なお、以下に示す図１〜図７において、矢印ありの符号は、図中に示された複数の部品又は構成要素を指す場合に用い、矢印なしの符号は、図中に示された単一の部品又は構成要素を指す場合に用いる。
【００２０】
［１−１−１．共同受信システム］
共同受信システム１０は、集合住宅等の建造物に適用され、建造物の屋外に設置されたアンテナからの受信信号を、伝送線（例えば、同軸ケーブル）を介して建造物内の各住戸に伝送する既存のシステムである。
【００２１】
共同受信システム１０は、地デジ用アンテナ１１と、第１衛星用アンテナ１２と、混合器１３と、増幅器１４と、複数の分配器１５Ａ，１５Ｂと、複数のテレビ端子１６とを備える。
【００２２】
地デジ用アンテナ１１は、地上デジタル放送のために地上局から送信されるＵＨＦ帯の放送電波を受信するアンテナである。以下では、地デジ用アンテナ１１による受信信号をＵＨＦ受信信号という。
【００２３】
第１衛星用アンテナ１２は、放送衛星（ＢＳ）及び通信衛星（ＣＳ）から、右旋円偏波を用いた衛星放送である右旋放送のみを受信する右旋専用アンテナである。なお、第１衛星用アンテナ１２は、反射鏡と、支持腕を介して反射鏡の焦点位置に配置される受信部とを備え、受信部に内蔵されたコンバータによって、受信信号を周波数変換（ダウンコンバート）して出力する。以下では、この周波数変換された信号を右旋ＩＦ信号という。右旋ＩＦ信号は、ＵＨＦ受信信号の周波数帯より高い第１の周波数帯に変換される。
【００２４】
地デジ用アンテナ１１及び第１衛星用アンテナ１２から出力されるＵＨＦ受信信号及び右旋ＩＦ信号（以下、総称して第１信号）は、混合器１３、増幅器１４、及び複数の分配器１５Ａ，１５Ｂ等が設けられた伝送線を介して、各住戸に設けられた複数のテレビ端子１６に伝送される。第１信号には、右旋ＩＦ信号が上限として含まれ、それより周波数の低い信号（例えば、ＵＨＦ受信信号）も含まれる。
なお、第１信号を伝送する伝送線は、各住戸にそれぞれ一つずつ設けられた引込ポイントＰから住戸内に引き込まれ、住戸内に設けられた分配器１５Ｂを介して複数のテレビ端子１６に分配される。以下、建造物の共用部に設けられた分配器１５Ａを共用分配器、住戸内に設けられた分配器１５Ｂを宅内分配器という。
【００２５】
［１−１−２．衛星放送受信システム］
衛星放送受信システム２０は、右旋放送専用の共同受信システム１０に後付けして、ＢＳ及びＣＳによる左旋円偏波を用いた衛星放送である左旋放送の視聴を実現するシステムである。
【００２６】
衛星放送受信システム２０は、第２衛星用アンテナ２１と、右左旋混合器２２とを備える。この第２衛星用アンテナ２１がアンテナ部に相当し、右左旋混合器２２が混合器に相当する。
【００２７】
第２衛星用アンテナ２１は、左旋放送のみを受信する左旋専用アンテナ、又は右旋放送及び左旋放送をいずれも受信する右左旋共用アンテナである。なお、第２衛星用アンテナ２１は、第１衛星用アンテナ１２と同様に、反射鏡と、受信部とを備え、受信部に内蔵されたコンバータによって、受信信号を周波数変換（ダウンコンバート）して出力する。以下では、周波数変換された左旋円偏波の受信信号を左旋ＩＦ信号という。左旋ＩＦ信号は、右旋ＩＦ信号の周波数帯より更に高い周波数帯に変換される。以下、第２衛星用アンテナ２１から出力される信号を第２信号という。
【００２８】
つまり、第２衛星用アンテナ２１が左旋専用アンテナである場合、第２信号には、左旋ＩＦ信号だけが含まれる。一方、第２衛星用アンテナ２１が右左旋共用アンテナである場合、第２信号には、右旋ＩＦ信号及び左旋ＩＦ信号のいずれもが含まれる。
【００２９】
右左旋混合器２２は、テレビ端子１６に接続される第１入力端子Ｔ１と、第２衛星用アンテナ２１に接続される第２入力端子Ｔ２と、住戸内に設置された録画装置やテレビ受像機（以下、テレビ受像機等１００）に接続される出力端子Ｔｏとを備える。なお、テレビ受像機等１００は、４Ｋ或いは８Ｋの衛星放送に対応した機器である。
【００３０】
右左旋混合器２２は、例えば、ダイプレクサが用いられ、図２に示すように、ローパスフィルタ（ＬＰＦ）２２１と、ハイパスフィルタ（ＨＰＦ）２２２とを備える。ＬＰＦ２２１は、第１入力端子Ｔ１と出力端子Ｔｏとの間に接続される。ＬＰＦ２２１のカットオフ周波数は、右旋ＩＦ信号を通過させ、左旋ＩＦ信号の通過を阻止するよう設定される。ＨＰＦ２２２は、第２入力端子Ｔ２と出力端子Ｔｏとの間に接続される。ＨＰＦ２２２のカットオフ周波数は、左旋ＩＦ信号を通過させ、右旋ＩＦ信号の通過を阻止するように設定される。
【００３１】
右左旋混合器２２は、第１入力端子Ｔ１を介して入力され、ＬＰＦ２２１を通過した第１信号（すなわち、ＵＨＦ受信信号及び右旋ＩＦ信号）と、第２入力端子Ｔ２を介して入力される第２信号のうち、ＨＰＦ２２２を通過した左旋ＩＦ信号とを混合した混合信号を、出力端子Ｔｏから出力する。つまり、混合信号には、ＵＨＦ受信信号、右旋ＩＦ信号、及び左旋ＩＦ信号が含まれる。
【００３２】
また、ＬＰＦ２２１は、ＨＰＦ２２１を通過した左旋ＩＦ信号が第１入力端子Ｔ１を介して出力されること、すなわち、テレビ端子１６を介して共同受信システム１０に漏洩することを抑制する。ＨＰＦ２２２は、第２信号に右旋ＩＦ信号が含まれていたとしても、その第２信号に含まれる右旋ＩＦ信号が、出力端子Ｔｏ及び第１入力端子Ｔ１を介して出力されることを抑制する。
【００３３】
［１−２．使用方法］
既存の共同受信システム１０に衛星放送受信システム２０を追加する場合、まず、第２衛星用アンテナ２１を、左旋放送の視聴を希望する各住戸において、ベランダに第２衛星用アンテナ２１を設置すると共に、住戸内に右左旋混合器２２を設置する。そして、右左旋混合器２２の第１入力端子Ｔ１には、テレビ端子１６から出力される第１信号を伝送する伝送線を接続する。また、右左旋混合器２２の第２入力端子Ｔ２には、第２衛星用アンテナ２１から出力される第２信号を伝送する伝送線を接続する。更に、右左旋混合器２２の出力端子Ｔｏは、伝送線を介してテレビ受像機等１００の信号入力端子と接続する。但し、テレビ受像機等１００には、地上デジタル放送の受信信号と衛星放送信号の右旋ＩＦ信号及び左旋ＩＦ信号とを一括して入力する共通の信号入力端子が設けられているものとする。
【００３４】
［１−３．効果］
以上説明した本実施形態によれば、以下の効果を奏する。
（１ａ）テレビ放送受信システム１は、右旋放送専用の既存の共同受信システム１０に、衛星放送受信システム２０を後付けすることで構成される。つまり、既存の共同受信システム１０を改修することなく、左旋放送の視聴を実現できる。しかも、左旋放送の視聴を実現する衛星放送受信システム２０を設置するか否かを、集合住宅全体で決める必要はなく、住戸毎に選択できるため、容易に導入できる。
【００３５】
（１ｂ）右左旋混合器２２として、ＬＰＦ２２１及びＨＰＦ２２２を有するダイプレクサが用いられている。このため、第１入力端子Ｔ１からの第１信号と、第２入力端子Ｔ２からの第２信号とを混合する際にノイズが除去されるため、混合信号の品質を向上させることができる。更に、第２信号に含まれるノイズ（例えば、第２衛星用アンテナ２１を右左旋共用アンテナとした場合に含まれる右旋ＩＦ信号）が、共同受信システム１０に侵入して、左旋放送の視聴を希望しない住戸のテレビ端子１６に接続された機器に影響を与えてしまうことを抑制できる。
【００３６】
［１−４．変形例］
上記実施形態では、テレビ受像機等１００が、地上デジタル放送用の信号（すなわち、ＵＨＦ受信信号）と衛星放送用の信号（すなわち、右旋ＩＦ信号及び左旋ＩＦ信号）とを入力する共通の入力端子を有する場合について説明した。これに限らず、テレビ受像機等１０１が、地上デジタル放送用の信号と、衛星放送用の信号とで別々の入力端子を有してもよい。
【００３７】
この場合、図３に示すテレビ放送受信システム１ａのように接続してもよい。すなわち、第１信号をＵＨＦ受信信号と右旋ＩＦ信号とに分離するセパレータ１７をテレビ端子１６に接続する。そして、セパレータ１７で分離されたＵＨＦ受信信号を出力する出力端子をテレビ受像機等１０１の地上デジタル放送用の入力端子に接続し、セパレータ１７で分離された右旋ＩＦ信号を出力する出力端子を、右左旋混合器２２の第１入力端子Ｔ１に接続する。更に、右左旋混合器２２の出力端子Ｔｏを、テレビ受像機等１０１の、衛星放送用の入力端子に接続する。
【００３８】
また、別の例として、図４に示すテレビ放送受信システム１ｂのように接続してもよい。すなわち、テレビ端子１６を右左旋混合器２２の第１入力端子Ｔ１に接続する。そして、右左旋混合器２２の出力端子Ｔｏを、セパレータ１７の入力端子に接続する。更に、セパレータ１７で分離されたＵＨＦ受信信号を出力する出力端子を、テレビ受像機等１０１の地上デジタル放送用の入力端子に接続する。また、セパレータ１７で分離された右旋ＩＦ信号及び左旋ＩＦ信号を出力する端子を、テレビ受像機等１０１の衛星放送用の入力端子に接続する。
【００３９】
［２．第２実施形態］
［２−１．第１実施形態との相違点］
第２実施形態は、基本的な構成は第１実施形態と同様であるため、相違点について以下に説明する。なお、第１実施形態と同じ符号は、同一の構成を示すものであって、先行する説明を参照する。
【００４０】
第１実施形態のテレビ放送受信システム１では、テレビ端子１６とテレビ受像機等１００との間に衛星放送受信システム２０が接続される。これに対し、第２実施形態のテレビ放送受信システム１ｃでは、引込ポイントＰと宅内分配器１５Ｂとの間に衛星放送受信システム２０が接続される点で、第１実施形態と相違する。
【００４１】
第２実施形態のテレビ放送受信システム１ｃでは、図５に示すように、引込ポイントＰから住戸に引き込まれた第１信号を伝送する伝送線が、右左旋混合器２２の第１入力端子Ｔ１に接続される。また、右左旋混合器２２の出力端子Ｔｏは、増幅器１８を介して宅内分配器１５Ｂに接続される。なお、増幅器１８は省略されてもよい。
【００４２】
そして、テレビ受像機等１００は、テレビ端子１６に直接接続される。
［２−２．効果］
以上詳述した第２実施形態によれば、前述した第１実施形態の効果（１ａ）〜（１ｂ）を奏し、さらに、以下の効果を奏する。
【００４３】
（２ａ）テレビ放送受信システム１ｃでは、右左旋混合器２２から出力される混合信号が、宅内分配器１５Ｂを介して、衛星放送受信システム２０を設置した住戸（以下、対象住戸）内に存在するすべてのテレビ端子１６に供給される。従って、テレビ放送受信システム１ｃによれば、対象住戸に設けられた任意のテレビ端子１６を使用して左旋放送を視聴できる。但し、この場合、引込ポイントＰより下流側の各機器は、ＢＳ・ＣＳ左旋放送に対応した機器に変更する等の対策が必要である。
【００４４】
［３．他の実施形態］
以上、本開示の実施形態について説明したが、本開示は、上記実施形態に限定されるものではなく、本開示の要旨を逸脱しない範囲内にて種々の態様をとることができる。
【００４５】
（３ａ）上記実施形態では、右左旋混合器２２として、ＬＰＦ２２１及びＨＰＦ２２２を有するダイプレクサを用いているが、本開示はこれに限定されるものではない。例えば、第２入力端子Ｔ２から入力される第２信号が、第１入力端子Ｔ１から漏洩しても、共同受信システム１０に悪影響を与えるおそれがない場合は、図７（ａ）に示す右左旋混合器２２ａのように、右左旋混合器２２からＬＰＦ２２１を除去した簡易な構造であってもよい。
【００４６】
（３ｂ）上記実施形態における衛星放送受信システム２０では、第２衛星用アンテナ２１からの第２信号を伝送する伝送線が、右左旋混合器２２の第２入力端子Ｔ２に直接接続されているが、本開示は、これに限定されるものではない。例えば、図６に示す衛星放送受信システム２０ａのように、第２衛星用アンテナ２１から右左旋混合器２２の第２入力端子Ｔ２に到る伝送線に、ＨＰＦ２３が挿入されてもよい。このＨＰＦ２３のカットオフ周波数は、ＨＰＦ２２２と同様に、左旋ＩＦ信号を通過させ、右旋ＩＦ信号の通過を阻止するように設定される。この場合、第２衛星用アンテナ２１が右左旋共用アンテナであっても、ＨＰＦ２３にて第２信号から右旋ＩＦ信号が除去されるため、第２入力端子Ｔ２へは、左旋ＩＦ信号のみが入力される。
【００４７】
（３ｃ）上記実施形態では、右左旋混合器２２の第２入力端子Ｔ２に入力される第２信号が、左旋ＩＦ信号だけでなく右旋ＩＦ信号も含む場合があることを前提として説明したが、本開示はこれに限定されるものではない。例えば、第２入力端子Ｔ２に入力される第２信号が、右旋ＩＦ信号を含まず、左旋ＩＦ信号のみを含む場合には、右左旋混合器２２に代えて、図７（ｂ）〜（ｅ）に示す右左旋混合器２２ｂ〜２２ｅを用いてもよい。なお、第２信号が左旋ＩＦ信号を含む場合とは、衛星放送受信システム２０において第２衛星用アンテナ２１が左旋専用アンテナである場合、又は、図６に示した衛星放送受信システム２０ａを用いる場合である。
【００４８】
すなわち、図７（ｂ）に示す右左旋混合器２２ｂは、第１入力端子Ｔ１と出力端子Ｔｏとの間、及び第２入力端子Ｔ２と出力端子Ｔｏとの間に、それぞれ出力端子Ｔｏ側に向けてのみ信号を通過させるアイソレータ２２３，２２４を備える。このような右左旋混合器２２ｂでも、第２入力端子Ｔ２から入力された信号が第１入力端子Ｔ１から出力されること、及び出力端子Ｔｏから出力される右旋ＩＦ信号が、第２信号によって劣化することをいずれも抑制できる。
【００４９】
図７（ｃ）に示す右左旋混合器２２ｃは、右左旋混合器２２ｂから、第２入力端子Ｔ２と出力端子Ｔｏとの間に設けられたアイソレータ２２４を除去した構造を有する。また、図７（ｄ）に示す右左旋混合器２２ｄは、右左旋混合器２２から、第２入力端子Ｔ２と出力端子Ｔｏとの間に設けられたＨＰＦ２２２を除去した構造を有する。図７（ｅ）に示す右左旋混合器２２ｅは、右左旋混合器２２からＬＰＦ２２１及びＨＰＦ２２２のいずれも除去した構造を有する。つまり、第２入力端子Ｔ２から右旋ＩＦ信号が入力されることがない場合には、このような簡易な構造の右左旋混合器２２ｃ，２２ｄ，２２ｅを用いることができる。
【００５０】
なお、図２及び図７（ａ）〜（ｄ）において、ＬＰＦ２２１及びアイソレータ２２３が回込抑制回路に相当し、ＨＰＦ２２２が除去回路に相当する。
【符号の説明】
【００５１】
１，１ａ〜１ｃ…テレビ放送受信システム、１０…共同受信システム、１１…地デジ用アンテナ、１２…第１衛星用アンテナ、１３…混合器、１４，１８…増幅器、１５Ａ，１５Ｂ…分配器、１６…テレビ端子、１７…セパレータ、２０，２０ａ…衛星放送受信システム、２１…第２衛星用アンテナ、２２，２２ａ〜２２ｅ…右左旋混合器、１００…テレビ受信機等、２２１…ローパスフィルタ（ＬＰＦ）、２２２，２３…ハイパスフィルタ（ＨＰＦ）、２２３，２２４…アイソレータ、Ｐ…引込ポイント、Ｔ１…第１入力端子、Ｔ２…第２入力端子、Ｔｏ…出力端子。
【図１】
2020162037.tif 000003
【図２】
2020162037.tif 000004
【図３】
2020162037.tif 000005
【図４】
2020162037.tif 000006
【図５】
2020162037.tif 000007
【図６】
2020162037.tif 000008
【図７】
2020162037.tif 000009